(57)【特許請求の範囲】
【請求項１】
処理チャンバと、前記処理チャンバ内に処理ガスを供給する手段と、前記処理チャンバ内を真空に保つ排気手段と、前記処理チャンバ内に設置され処理対象物を固定する支持台と、前記支持台と平行平板電極を構成し前記処理チャンバ内に第一のプラズマを発生するための円盤状の電極部とを有するプラズマ処理装置において、
前記第一のプラズマとは異なる第二のプラズマを前記処理チャンバの側壁部近傍に生成するために、前記電極部の中央部に入力端、前記電極部に接続され前記電極部と同一平面上にあって形状が同一である複数のアンテナ部及び前記アンテナ部の端に設けられた複数の出力端を前記入力端に対して対称に構成したアンテナを設け、前記電極部の外周部に前記アンテナが前記電極部に誘起する電流を阻害するようなスリット状の絶縁領域を半径方向に設けたことを特徴とするプラズマ処理装置。
【請求項２】
請求項１記載のプラズマ処理装置において、前記電極部にほぼ垂直な方向に磁場を加える手段を有することを特徴とするプラズマ処理装置。
【請求項３】
請求項１記載のプラズマ処理装置において、前記電極部及びアンテナの電位を維持するために、前記電極部及びアンテナを電圧維持機構を通してアースに接続することを特徴とするプラズマ処理装置。
【発明の詳細な説明】
【０００１】
【発明の属する技術分野】
本発明は、プラズマ生成装置を備えた半導体製造装置に係り、特に半導体素子の微細加工に好適な半導体製造装置に関する。
【０００２】
【従来の技術】
プラズマを用いて半導体ウエハを処理するプラズマ処理装置には、例えば特開昭５７−１３１３７４号公報に開示されているような平行平板電極方式のものがある。この平行平板電極方式のプラズマ処理装置の従来例を図１１に示す。
【０００３】
図１１の装置では、円筒状の側壁部６と絶縁部５と円盤状の電極２によって囲まれている処理室９が図示しないガス排気手段により真空状態に保たれており、ガス供給手段７がガス導入路の機能を兼ね備えた電極２を通して処理ガスを処理室に供給する。通常、側壁部６はアースされており、電極２とは絶縁部５により絶縁されている。電極２と支持台３は平行平板電極を構成しており、電源１がこの平行平板電極の間に電力を加えることにより処理室９内部の処理ガスがプラズマ化する。なお、通常は電極２は導体壁８によって覆われており、電極２が発生する電磁波が外部に漏れないようになっている。
【０００４】
処理室の下部には処理対象のウエハ４が支持台３の上に設置されており、処理室９内に発生したプラズマとプラズマにより活性化した処理ガス中の化学種（ラジカル）により微細加工が行われる。この時、電源１が加える入力電力や処理室９内の圧力や電極２と支持台３の間の間隙の幅等によってプラズマの密度とプラズマ中の電子の温度が変わり、同時に処理ガスの分解の状態が変わる。
【０００５】
つまり、いくつかあるラジカル種の量の比が変わり、微細加工の性能を左右する。さらに、支持台３には電源１０によりバイアス電圧が掛けられており、プラズマ中のイオンを引き込んでウエハ上での反応を促進する。電源１０の代わりにコンデンサ等による電位差を利用し支持台にバイアスを加える装置もある。特に、特開昭５７−１３１３７４では電源１と電源１０に異なる周波数のＲＦ電源を用いてエッチング等の微細加工の精度を上げる工夫をしている。処理済みの処理ガスや微細加工の際に放出された反応生成物は、通常側壁部６と支持台３の間を通って図示しない排気手段により排気される。
【０００６】
【発明が解決しようとする課題】
１）微細加工の性能を決める主要因であるラジカルの成分比は、プラズマ中の電子温度によってきまるが、例えば図１１で示したような、平行平板電極型のプラズマ処理装置では電子温度が入力電力や処理室内圧力や間隙の幅等により決まる。しかし、処理対象物が大きくなり、処理室の大きさも大きくなってくると処理ガスの流れの圧力損失が大きくなる等の問題から処理室内圧力や間隙の幅を自由に調節することができなくなり、電子温度を適切に設定してラジカル成分比を調節することが困難になってくる。
【０００７】
２）プラズマの密度が主に電極と支持台の間隙の間で高くなり、側壁部の近傍ではプラズマ密度が低くなるため、側壁部の壁面に処理ガスや反応生成物により様々な化学成分が付着するなどして微細加工の性能に悪影響を与えることがある。しかし、図１１に示すような従来の平行平板電極型プラズマ処理装置では、この側壁部の壁面の状態を制御する手段が無かった。
【０００８】
本発明の目的は、ラジカルの成分を制御し、プラズマの状態を調節し、微細加工ができるプラズマ処理装置を提供することにある。
【０００９】
【課題を解決するための手段】
１）処理室内に電力を投入するためにアンテナを設ける。このアンテナは平行平板電極の一部になっていることもある。このアンテナが処理ガスに電力を投入してプラズマを生成するようにする。アンテナのプラズマ生成領域が平行平板電極のプラズマ生成領域に重なるように設置し、二つのタイプのプラズマの混合により電子密度を制御し、混合プラズマが制止するラジカル成分比を調節する手段とする。または、アンテナが発生させるプラズマが生成するラジカルと、平行平板電極が発生させるプラズマが生成するラジカルとを混合して、ラジカル成分比を調整することもできる。
【００１０】
２）処理室内に電力を投入するためのアンテナを設ける。このアンテナは平行平板電極の一部となっていることもある。このアンテナが処理ガスに電力を投入してプラズマを生成する場所を側壁部の近傍に設定することにより、側壁部近傍のプラズマの密度を調整する手段とし、微細加工の性能の調節が出来るようになる。
【００１１】
【発明の実施の形態】
以下本発明の一実施例を図１に示し説明する。
【００１２】
図１において、処理室９内には処理対象を支持する支持台３が設置されており、前記支持台３の上に処理対象物４が置かれる。処理対象物４は例えば半導体デバイス用のウエハである。処理室の壁の一部は電極２となっており、電極の機能も兼ね備えた支持台３との間で平行平板電極を形成する。支持台３と処理対象物４は通常平板状であるが、電極２は平板状であっても良いし、図２（イ）のように階段状の段差を持っていても良いし、図２（ロ）のように曲面部分を持っていても良い。電極２が図１、図２（イ）、図２（ロ）のどの場合であっても、以下では電極２と支持台３の組を平行平板電極と呼ぶ。通常、電極２は処理室９に接しているが、電極２と処理室９の間には絶縁体などで構成されたカバーがあっても良い。処理室９にはガス供給手段７により処理ガスが導入されており、例えば図１のように電極２が処理ガス導入路の機能を兼ね備えていることがある。
【００１３】
さらに、処理室９は図示しない排気手段により排気され、低圧状態に保たれている。処理室９は、例えば円筒状でアースされた側壁部６で囲まれており、電極２と側壁部６は絶縁部５により電気的に絶縁されている。電源１は例えば交流電源と整合回路の組み合わせである。電源１が平行平板電極に加えた電力により、処理室９内部の処理ガスがプラズマ化し、プラズマが処理ガスを活性化して様々な種類のラジカルを生成する。さらにアンテナ１１が絶縁体５の近傍に設置されており、絶縁体５はアンテナ１１が発生する電磁波を処理室９に導入する窓の機能を持つ。アンテナ１１は一つまたは複数の電力の入力端と出力端を持ち、ひと巻きまたはそれ以上に巻かれたループアンテナであっても良いし、ひと巻きを複数に分割した分割ループアンテナであっても良いし、その他の形状であっても電磁波を放射するアンテナであればよい。アンテナ１１には電源１２が電力を供給しているが、電源１が電極２とアンテナ１２に電力を加えても良い。
【００１４】
また、アンテナ１１が電極２に電流を誘導する場合には、例えば図３に示すように電極２に誘導電流を阻害するようなスリットなどの絶縁領域を設けると、アンテナの電力が処理室内に導入し易くなって良い。アンテナ１１は例えば図１に示すような電場１４を処理室内に誘起しプラズマを生成する。このアンテナがプラズマを側壁部６の近傍で生成するため、電源１２による電力を調節することにより側壁部６の壁面の状態を制御できる。
【００１５】
また、アンテナ１１によるプラズマが励起するラジカルは拡散して平行平板電極の間隙にも浸透して行くが、平行平板電極によるプラズマが励起するラジカルとは組成が異なるため、アンテナに投入する電力の調整により処理室内部のラジカル組成の制御が可能である。
【００１６】
図１の装置ではさらに磁場発生手段１３により処理室内に磁場を加えることが出来る。例えば、円筒状のソレノイドコイルを用いて磁力線１５で示すような分布の磁場を発生できる。アンテナが発生する振動電界１４と磁力線１５がおおむね垂直であるときに、電子サイクロトロン共鳴を起こすように電界１４の振動数と磁場１５の強度をあわせると、特に効率的にプラズマが生成できる。例えば振動電場の周波数が６８Ｍｈｚの時には磁場強度２４ガウス付近で電子サイクロトロン共鳴が起こる。
【００１７】
また、電子サイクロトロン共鳴磁場に近い範囲で磁場強度を調節すればラジカルの成分比の調整ができ、微細加工の性能を最適化することができる。
【００１８】
さらに、磁場強度が電子サイクロトロン磁場よりも強い場所では電磁波が磁場に沿ってプラズマ中を伝播できる。従って、図１のようにアンテナを通る磁力線が処理室内のプラズマを生成したい場所を通過するようにアンテナと磁場の分布を設定することによりプラズマ生成の効率化を図っている。
【００１９】
次に本発明の他の実施例を図４に示し説明する。
【００２０】
図４の装置は基本的な構成要素は図１の装置とほとんど同じであるが、図１では処理室９の上面に設置されていたアンテナ１１が処理室の側面に設置されている点が異なる。図４ではアンテナ１１の電磁波が外部に漏れないように導体壁８’で囲まれているが、導体壁８と導体壁８’は一体のものであっても良い。図４の装置のもう一つの特徴は、ソレノイドコイルなどの磁場発生手段１３の設置位置を下方に設定し、処理室側面に設置されたアンテナ１１を通過する磁力線１５が処理室内を通過するように配置してある点にある。これにより、図１の実施例でも述べたように、電子サイクロトロン共鳴磁場よりも強い磁場を加えた場合にアンテナが放射する電磁波が処理室内のプラズマ中に入りやすくなり、プラズマの生成効率を上げている。
【００２１】
次に本発明の他の実施例を図５に示し説明する。
【００２２】
図５の装置は図４の装置とほぼ同じ構成となっているが、アンテナ１１が処理室内部に設置されている点が異なる。アンテナを処理室内のプラズマに直接晒すとアンテナ自体が削れて微細加工に悪影響を及ぼすときには、アンテナの表面にプラズマにより削れにくい材料をコーティングしたり、アンテナに絶縁体で出来たカバーをかぶせても良い。図５の実施例のようにアンテナを処理室内部に設置することにより、処理室上面や処理室側面にアンテナを設置するスペースが取れないときにもアンテナを設けることが出来る。
【００２３】
次に本発明の他の実施例を図６に示し説明する。
【００２４】
図６の装置の構成は図５の装置と同じであるが、図６の装置ではアンテナ１１が電極２の上部に設置されている点が特徴となっている。図６の装置の場合には電極２は図３に示したようなスリット等の絶縁部を持ち、アンテナ１１の誘起する電磁場の少なくとも一部が電極２を通過して処理室９に伝播し、プラズマを生成するかプラズマにエネルギーを与えることが出来るようになっている。この場合には、電極２と支持台３の間隙に平行平板電極とアンテナによりプラズマを生成するため、処理対象物直上のプラズマの電子エネルギをアンテナ投入電力により調整し、微細加工の性能を高めることが可能になる。
【００２５】
次に本発明のさらに他の実施例を図７に示し説明する。
【００２６】
図７の装置の図１の装置に対する特徴は、図１のアンテナ１１と電極２が一体化したアンテナ電極１６を用いている点である。
【００２７】
アンテナ電極の例を図９に示す。アンテナ電極は１つまたは複数の電極部１８とそこに接続された一つまたは複数のアンテナ部１９と入力端２０と出力端２１で構成される。アンテナ電極の一例を図９（イ）、図９（ロ）、図９（ハ）、図９（ニ）に示す。特に図９（ニ）では、アンテナ部１９の放射する電磁波が電極部１８に引き起こす誘導電流を阻害するようにスリット状の絶縁領域２２を設け、アンテナ部の電磁波の放射効率を上げている。
【００２８】
図７や図９に示した例では電極部とアンテナ部はほぼ同一平面上にあるが、電極部とアンテナ部が立体的な構成となっていても良い。例えばアンテナ部が電極部の真上に設置されるようなアンテナ電極もある。電源１により入力端２０に加えられた電力の一部は電極部１８と支持台３の形成する平行平板電極によりプラズマ生成に用いられ、残りはアンテナ部１９から電磁波として放射され処理室内にプラズマを生成する。出力端はアースしても良いし、アンテナ電極の電極部の電圧を維持するためにコンデンサなどにより構成された電圧維持手段を介した後にアースしても良い。
【００２９】
また、入力端と出力端を入れ替えて接続しても良い。このアンテナ電極を使うと電極とアンテナに一つずつあった電源が一つで済むようになる。図７ではアンテナ電極の電極部は処理室に露出しており、アンテナ部は処理室外部にあるが、電極部には絶縁体などで構成されたカバーをつけていても良い。
【００３０】
また、図８に示すようにアンテナ部を処理室内部に設置してもよいし、アンテナ部に絶縁体などのカバーをしてもよい。図７や図８の装置は図１の装置とほぼ同じ効果を持ち、処理対象物の微細加工の性能を上げることができる。
【００３１】
次に本発明のさらに他の実施例を図１０に示し説明する。
【００３２】
図１０の装置では処理室内の側壁部６近傍にプラズマを生成するために外周電極２３と側壁部６の間に電力を加える電源１２を設けている。外周電極２３の生成するプラズマは、側壁部近傍にあるため、側壁部壁面の状態の制御ができ、微細加工の性能を上げることが出来る。また、電源１と電源１２の周波数を異なるものとすれば電子温度の異なるプラズマを生成し、図１の装置と同様にラジカルの成分比の調節により微細加工の性能を最適化できる。さらに、外周電極２３の発生する電場１４’の方向が磁力線１５とほぼ直行するように磁場発生手段１３を設置し、磁場強度が外周電極近傍で電子サイクロトロン共鳴磁場強度になるように設定すれば外周電極によるプラズマ生成の効率を上げることが出来る。
【００３３】
【発明の効果】
本発明によれば、半導体製造装置であるプラズマ処理装置において、ラジカルの成分を制御することができるようになり、半導体デバイスなどの微細加工の性能を上げることが出来る。また本発明によれば、側壁部に接するプラズマの状態を容易に調節できるようになるため、側壁部の状態を制御し微細加工の性能をあげることができる。
【図面の簡単な説明】
【図１】本発明の一実施例の断面図である。
【図２】（イ）（ロ）はそれぞれ本発明の電極の一実施例の側面図である。
【図３】本発明の電極の他の実施例の上面図である。
【図４】本発明の他の実施例の断面図である。
【図５】本発明の他の実施例の断面図である。
【図６】本発明の他の実施例の断面図である。
【図７】本発明の他の実施例の断面図である。
【図８】本発明の他の実施例の断面図である。
【図９】（イ）（ロ）（ハ）（ニ）はそれぞれ本発明のアンテナ電極の一実施例の上面図である。
【図１０】本発明の他の実施例の断面図である。
【図１１】従来の平行平板電極型プラズマ処理装置の断面図である。
【符号の説明】
１…電源、２…電極、２’…電極、２”…電極、２’’’…電極、３…支持台、４…処理対象物、５…絶縁部、６…側壁部、７…ガス供給手段、８…導体壁、８’…導体壁、９…処理室、１０…電源、１１…アンテナ、１２…電源、１３…磁場発生手段、１４…アンテナが生成する電場、１４’…外周電極が生成する電場、１５…磁力線、１６…アンテナ電極、１７…絶縁体カバー、１８…電極部、１９…アンテナ部、２０…電力入力端、２１…電力出力端、２２…絶縁部、２３…外周電極。
【図１】
0003598717.tif 000002
【図２】
0003598717.tif 000003
【図３】
0003598717.tif 000004
【図４】
0003598717.tif 000005
【図５】
0003598717.tif 000006
【図６】
0003598717.tif 000007
【図７】
0003598717.tif 000008
【図８】
0003598717.tif 000009
【図９】
0003598717.tif 000010
【図１０】
0003598717.tif 000011
【図１１】
0003598717.tif 000012